(57)【要約】      （修正有）【課題】釣り糸に強い張力が作用した場合、糸付部にかかる曲げ力を抑制する。【解決手段】  釣り糸３が取り付けられる糸取付部材４を穂先部１に備えた釣り竿の穂先構造において、糸取付部材４を、釣り糸３が結び付けられる糸付部４Ａと、この糸付部４Ａから横外方に向けて突出して糸付部４Ａからの釣り糸３の抜け落ちを防止する複数の抜止部４Ｂとから構成してある。【選択図】図１
2007289010.tif 000002
【特許請求の範囲】
【請求項１】
釣り糸が取り付けられる糸取付部材を穂先部に備え、前記糸取付部材を、前記釣り糸が結び付けられる糸付部と、この糸付部から横外方に向けて突出して前記糸付部からの前記釣り糸の抜け落ちを防止する複数の抜止部とから構成してある釣り竿の穂先構造。
【請求項２】
前記抜止部を先窄まり形状に形成してある請求項１に記載の釣り竿の穂先構造。
【請求項３】
前記糸取付部材を前記穂先部の軸心周りに回動可能に備えてある請求項１又は２に記載の釣り竿の穂先構造。
【発明の詳細な説明】
【技術分野】
【０００１】
本発明は、釣り糸が取り付けられる糸取付部材を穂先部に備えた釣り竿の穂先構造に関する。
【背景技術】
【０００２】
上記のような釣り竿の穂先構造としては、アルミニウムなどの金属製の糸連結部材（糸取付部材）を、その前端と後端とにフランジ部を備え、前後端のフランジ部の間に、釣り糸が結び付けられる円形の糸巻き付け部を有するように構成したものがある（例えば非特許文献１参照）。
【非特許文献１】特願２００５−２０２６０８号（段落番号００２８、図５）
【発明の開示】
【発明が解決しようとする課題】
【０００３】
上記の構成では、前端のフランジ部によって釣り糸の糸巻き付け部からの抜け落ちを防止してある。
【０００４】
そのため、例えば、根がかりを解消するために竿を強く引き寄せる、などの操作を行うことで、釣り糸に強い張力が作用した場合には、その釣り糸が、糸巻き付け部の外周から外方側に離れたフランジ部の外周縁に押し当てられることになり、その分、その押し当てによって前端のフランジ部や糸巻き付け部に作用する曲げ力が大きくなり、結果、糸連結部材における前端のフランジ部と糸巻き付け部との連接箇所などにおいて過大な応力が発生することになる。
【０００５】
そして、この過大な応力を許容するためには、糸連結部材の糸巻き付け部などを大径に形成することが考えられるが、この場合には、糸連結部材が大型化し、又、重くなることによって、竿操作時の風切り性能が低下して緻密な竿操作が行い難くなる上に、水中の情報を糸の響きとして伝える竿感度に悪影響を及ぼすことになる。
【０００６】
又、糸連結部材における前端のフランジ部を小径にして、そのフランジ部の外周縁に釣り糸が押し当てられた際に発生する曲げ力を軽減することも考えられるが、この場合には、糸巻き付け部からの釣り糸の抜け落ちを防止する、という前端のフランジ部の本来の機能が低下することになる。
【０００７】
本発明の目的は、糸取付部材に簡単な改良を施すことで、緻密な竿操作や竿感度に悪影響を及ぼすことなく、又、釣り糸の抜け落ちを確実に防止しながら、根がかり解消時などに発生する過大な応力を許容できるようにすることにある。
【課題を解決するための手段】
【０００８】
上記の目的を達成するため、本発明のうちの請求項１に記載の発明では、釣り糸が取り付けられる糸取付部材を穂先部に備え、前記糸取付部材を、前記釣り糸が結び付けられる糸付部と、この糸付部から横外方に向けて突出して前記糸付部からの前記釣り糸の抜け落ちを防止する複数の抜止部とから構成してある。
【０００９】
〔作用〕
この構成では、釣り糸に張力が作用すると、釣り糸は、その結び目が抜止部に押し当てられることで、糸付部からの抜け落ちが防止される一方で、抜止部の間に位置し、糸付部の外周や抜止部の付根側に押し当てられることになる。
【００１０】
つまり、糸取付部材における、釣り糸が結び付けられる糸付部の外周や、その外周に近い抜止部の付根側に釣り糸が押し当てられることになり、これによって、釣り糸が糸付部の外周から外方側に離れた抜止部の突出端側に押し当てられる場合に比較して、その押し当てによって糸付部や抜止部に作用する曲げ力が軽減されることになり、糸取付部材における糸付部と抜止部との連接箇所などにおいて発生する応力が低下する。
【００１１】
その結果、その応力を許容する上において、糸取付部材の糸付部などをより小径に形成することが可能になり、又、複数の抜止部を糸付部から横外方に向けて突出形成したことで、抜止部をフランジ状に形成する場合に比較して、糸取付部材を軽量にすることができ、よって、竿操作時において優れた風切り性能を確保することができて、緻密な竿操作を行える上に、水中の情報を糸の響きとして伝える竿感度をより高くすることができる。
【００１２】
〔効果〕
従って、複数の抜止部を糸付部から横外方に向けて突出形成するだけの簡単な改良を施すことで、釣り糸の抜け落ちを確実に防止できるようにしながら、緻密な竿操作を行え、かつ、高い竿感度を得られる上に、糸取付部材における糸付部と抜止部との連接箇所などにおいて過大な応力が発生することを防止でき、結果、優れた竿操作性や竿感度を備えながら長期にわたって使用できる信頼性の高いものにすることができる。
【００１３】
〔構成〕
本発明のうちの請求項２に記載の発明では、上記請求項１に記載の発明において、前記抜止部を先窄まり形状に形成してある。
【００１４】
〔作用〕
この構成によると、抜止部の間に対して釣り糸が位置し易くなり、かつ、離脱し易くなる。
【００１５】
そのため、釣り糸に張力が作用した場合には、釣り糸がより速やかに抜止部の間に位置するようになり、その分、その張力によって発生する糸付部や抜止部に対する曲げ力がより短時間で軽減されることになる。
【００１６】
又、釣り糸の張力が弱められた場合や、釣り糸の引き方向に変化が生じた場合には、釣り糸が、抜止部の間からより速やかに離脱して、その結び目の糸付部に対する緩み方向や引き方向に応じた相対回動をより迅速に許容するようになることから、緩み方向や引き方向に応じた適切な方向に釣り糸がより短い時間で向かうようになり、これによって、釣り糸が抜止部の間から離脱せずに捩れることに起因した抜止部への釣り糸の絡み付きや糸切れなどを効果的に防止することができる。
【００１７】
〔効果〕
従って、糸取付部材における糸付部と抜止部との連接箇所などにおいて過大な応力が発生することをより確実に防止することができる上に、釣り糸の抜止部への絡み付きや糸切れなどを効果的に防止することができ、結果、より長期にわたって使用できるより信頼性の高いものにすることができる。
【００１８】
〔構成〕
本発明のうちの請求項３に記載の発明では、上記請求項１又は２に記載の発明において、前記糸取付部材を前記穂先部の軸心周りに回動可能に備えてある。
【００１９】
〔作用〕
この構成によると、抜止部に乗り上がった状態の釣り糸に張力が作用した場合には、その張力を受けて、糸取付部材が、釣り糸の結び目の相対回動を許容しながら穂先部の軸心周りに回動して、釣り糸を抜止部の間に速やかに入り込ませるようになり、その分、その張力によって発生する糸付部や抜止部に対する曲げ力がより短時間で軽減されることになる。
【００２０】
又、抜止部の間に位置する釣り糸の引き方向に変化が生じた場合には、その引き方向に応じて、糸取付部材が釣り糸の結び目とともに穂先部の軸心周りに回動して、引き方向に応じた適切な方向に釣り糸を速やかに向かわせるようになり、これによって、釣り糸が捩れることに起因した釣り糸の絡み付きや糸切れなどを効果的に防止することができる。
【００２１】
〔効果〕
従って、糸取付部材における糸付部と抜止部との連接箇所などにおいて過大な応力が発生することをより確実に防止することができる上に、釣り糸の抜止部への絡み付きや糸切れなどを効果的に防止することができ、結果、より長期にわたって使用できるより信頼性の高いものにすることができる。
【発明を実施するための最良の形態】
【００２２】
図１には鮎竿や渓流竿などの穂先部１が示されており、この穂先部１は、先細りの中実棒状に形成した穂先部材２の先端部に、釣り糸３が取り付けられる糸取付部材４を、穂先部１の軸心Ｘ周りに相対回動可能に備えて構成されている。
【００２３】
図示は省略するが、穂先部材２は、軸線に沿って束ねたガラス強化繊維の束（５００本〜１０００本）に、熱硬化性樹脂を含浸させた後、ダイスより引き抜き、所定長さに裁断して中実棒状に形成し、その先端側ほど細くするための研削加工などを施して形成されている。
【００２４】
ところで、穂先部材２の素材には、炭素繊維などを採用することも可能であるが、ここでは炭素繊維などに比較して弾性率が低く、柔軟性及び靱性の高いガラス繊維を採用してある。
【００２５】
図１〜３に示すように、糸取付部材４は、ステンレス又はアルミニウムなどの金属製で、釣り糸３が結び付けられる小径円柱状の糸付部４Ａと、この糸付部４Ａからの釣り糸３の抜け落ちを防止する一対の抜止部４Ｂと、穂先部材２に連結される大径円柱状の連結部４Ｃとを有するように形成されており、その連結部４Ｃが、樹脂などで筒状に形成された連結部材５を介して穂先部材２に連結されている。
【００２６】
図１に示すように、連結部材５は、その先端部に、糸取付部材４の糸付部４Ａが挿通される挿通孔５Ａと、糸取付部材４の連結部４Ｃを抜け止め保持する保持部５Ｂとを備え、その先端部に糸取付部材４の連結部４Ｃを内嵌させた状態で、その竿元側を穂先部材２の先端側に外嵌した後、その嵌合部の所定箇所が、穂先部材２に形成した一対の凹部２Ａにカシメ処理によって係入されることで、穂先部材２の先端部に糸取付部材４を穂先部１の軸心Ｘ周りに相対回動可能に連結保持する。
【００２７】
連結部材５の内部において、穂先部材２の先端と糸取付部材４の連結部４Ｃとの間には、糸取付部材４の回転抵抗を低減させる硬質のボール６が介装されている。
【００２８】
図１〜３に示すように、糸取付部材４における一対の抜止部４Ｂは、それらによって糸付部４Ａの直径を最短径とする楕円形を形成するように、糸付部４Ａの前端から横外方に向けて先細り形状に突出形成されている。
【００２９】
以上の構成から、いずれかの抜止部４Ｂに接触した状態の釣り糸３に張力が作用した場合には、その張力を受けて、糸取付部材４が、釣り糸３の結び目３Ａの相対回動を許容しながら、穂先部１の軸心Ｘ周りに軽快に回動して、釣り糸３を一対の抜止部４Ｂの間に速やかに位置させるようになる。
【００３０】
その結果、釣り糸３は、その一端が結び付けられる糸付部４Ａの外周や、その外周に近い抜止部４Ｂの付根側に押し当てられることになり、これによって、釣り糸３が糸付部４Ａの外周から離れた抜止部４Ｂの突出端側に押し当てられる場合に比較して、その押し当てによって糸付部４Ａや抜止部４Ｂに作用する曲げ力が軽減されることになり、糸取付部材４における糸付部４Ａと抜止部４Ｂとの連接箇所４Ｄなどにおいて発生する応力が低下する。
【００３１】
その結果、その応力を許容する上において、糸付部４Ａなどをより小径に形成することが可能になり、又、複数の抜止部４Ｂを糸付部４Ａから横外方に向けて突出形成したことで、抜止部４Ｂをフランジ状に形成する場合に比較して、糸取付部材４を軽量にすることができ、よって、竿操作時において優れた風切り性能を確保することができて、緻密な竿操作を行える上に、水中の情報を糸の響きとして伝える竿感度をより高くすることができる。
【００３２】
又、釣り糸３が一対の抜止部４Ｂの間に位置する状態で釣り糸３の引き方向に変化が生じた場合には、その引き方向に応じて、糸取付部材４が釣り糸３の結び目３Ａとともに穂先部１の軸心Ｘ周りに回動して、引き方向に応じた適切な方向に釣り糸３を速やかに向かわせるようになり、これによって、釣り糸３が捩れることに起因した釣り糸３の絡み付きや糸切れなどを防止することができる。
【００３３】
〔別実施形態〕
【００３４】
〔１〕糸取付部材４としては、穂先部材２の先端部に、穂先部１の軸心Ｘ周りに相対回動不能に固定装備したものであってもよい。
【００３５】
〔２〕糸取付部材４に採用する材質として種々の変更が可能であり、例えば、金属材の他に硬質樹脂材などを採用するようにしてもよい。
【００３６】
〔３〕糸取付部材４における抜止部４Ｂの数量や形状などに関しては種々の変更が可能であり、例えば、図示は省略するが、糸取付部材４に、先細り形状の一対の抜止部４Ｂを、それらによって糸付部４Ａの直径よりも大きい最短径を有する楕円形を形成するように備えてもよく、図４の（イ）に示すように、糸取付部材４に、先細り形状の３つの抜止部４Ｂを糸付部４Ａの周方向に等間隔に備えるようにしてもよく、図４の（ロ）に示すように、糸取付部材４に、糸付部４Ａの直径よりも幅狭の正面視略矩形状の一対の抜止部４Ｂを糸付部４Ａの周方向に等間隔に備えるようにしてもよく、又、図４の（ハ）又は（ニ）に示すように、ピン状の一対又は４本の抜止部４Ｂを糸付部４Ａの周方向に等間隔に備えるようにしてもよい。尚、図４の（ハ）に示す別実施形態においては、一対の抜止部４Ｂを単一のピン材で構成してもよい。
【図面の簡単な説明】
【００３７】
【図１】糸取付部材を備えた釣り竿穂先部の一部縦断側面図
【図２】糸取付部材における糸付部及び抜止部の形状を示す要部の縦断面図
【図３】糸取付部材の形状及び作用を示す要部の斜視図
【図４】別実施形態での糸取付部材の形状を示す要部の斜視図
【符号の説明】
【００３８】
１    穂先部
３    釣り糸
４    糸取付部材
４Ａ  糸付部
４Ｂ  抜止部
Ｘ    軸心
【図１】
2007289010.tif 000003
【図２】
2007289010.tif 000004
【図３】
2007289010.tif 000005
【図４】
2007289010.tif 000006